(57)【要約】【課題】外部メモリにテレビジョン受信装置の設定内容を画像ファイルの形式で記憶させることで、各個人の嗜好に応じた各種設定を、より独立性の高い方法で記憶することができ、かつ、他のテレビジョン受信装置においてその画像ファイルをメモリ代わりとして表示することで、他のテレビジョン受信装置においても共通の設定を容易とする。【解決手段】ＴＶマイコン２１は、ＵＳＢ接続端子２３へのＵＳＢメモリ３１の接続を検出すると、自装置内で設定され、メモリ部２９に格納されている各種調整値や各種動作モード等の設定内容をモニタ部２６に一覧表示し、ユーザがリモコン送信機４１の決定ボタンを操作すると、その決定された設定内容を、モニタ部２６一覧表示されている形態の画像ファイルとしてＵＳＢメモリ３１に格納する。【選択図】図１
2008227678.tif 000002
【特許請求の範囲】
【請求項１】
外部記憶媒体であるＵＳＢメモリの接続が可能なＵＳＢ接続端子を有するテレビジョン受信装置において、
前記ＵＳＢ接続端子へのＵＳＢメモリの接続の有無を検出する検出手段と、
前記検出手段によりＵＳＢメモリの接続が検出された場合には、前記ＵＳＢメモリに装置の各種調整値や各種動作モード等の設定内容とその設定内容の画像ファイルとが記憶されているか否かを確認する確認手段と、
前記確認手段での確認の結果、設定内容が記憶されている場合には、その設定内容を読み込む読込手段と、
前記読込手段で読み込んだ設定内容と自装置内で設定されている設定内容とを比較する比較手段と、
前記比較手段での比較の結果、設定内容が異なっている場合には、異なっていることを示すメッセージとともに自装置内で設定されている設定内容を一覧表示する表示手段と、
前記表示手段に表示された設定内容を決定する決定手段と、
前記決定手段にて決定された自装置内で設定されている設定内容を前記ＵＳＢメモリに記憶されている設定内容と置き換えて更新記憶するとともに、前記自装置内で設定されている設定内容を前記表示手段に一覧表示されている形態の画像ファイルとして前記ＵＳＢメモリに記憶されている画像ファイルと置き換えて更新記憶する設定記憶制御手段とを備えたことを特徴とするテレビジョン受信装置。
【請求項２】
外部記憶媒体の接続が可能な接続端子を有するテレビジョン受信装置において、
前記接続端子への外部記憶媒体の接続の有無を検出する検出手段と、
前記検出手段により外部記憶媒体の接続が検出された場合には、自装置内で設定されている各種調整値や各種動作モード等の設定内容を一覧表示する表示手段と、
前記表示手段に表示された設定内容を決定する決定手段と、
前記決定手段にて決定された設定内容を前記表示手段に一覧表示されている形態の画像ファイルとして前記外部記憶媒体に記憶する設定記憶制御手段とを備えたことを特徴とするテレビジョン受信装置。
【請求項３】
外部記憶媒体の接続が可能な接続端子を有するテレビジョン受信装置において、
前記接続端子への外部記憶媒体の接続の有無を検出する検出手段と、
自装置の各種調整値や各種動作モード等の設定内容を個人コードと対応させて複数種類記憶する設定内容記憶手段と、
前記検出手段により外部記憶媒体の接続が検出された場合には、前記設定内容記憶手段に記憶されている各種調整値や各種動作モード等の設定内容を個人コード別に若しくはまとめて一覧表示する表示手段と、
前記表示手段に表示された設定内容を決定する決定手段と、
前記決定手段にて決定された設定内容を前記表示手段に一覧表示されている形態の画像ファイルとして前記外部記憶媒体に記憶する設定記憶制御手段とを備えたことを特徴とするテレビジョン受信装置。
【請求項４】
外部記憶媒体の接続が可能な接続端子を有するテレビジョン受信装置において、
前記接続端子への外部記憶媒体の接続の有無を検出する検出手段と、
前記検出手段により外部記憶媒体の接続が検出された場合には、前記外部記憶媒体に装置の各種調整値や各種動作モード等の設定内容とその設定内容の画像ファイルとが記憶されているか否かを確認する確認手段と、
前記確認手段での確認の結果、設定内容が記憶されている場合には、その設定内容を読み込む読込手段と、
前記読込手段で読み込んだ設定内容と自装置内で設定されている設定内容とを比較する比較手段と、
前記比較手段での比較の結果、設定内容が異なっている場合には、異なっていることを示すメッセージとともに自装置内で設定されている設定内容を一覧表示する表示手段と、
前記表示手段に表示された設定内容を決定する決定手段と、
前記決定手段にて決定された自装置内で設定されている設定内容を前記外部記憶媒体に記憶されている設定内容と置き換えて更新記憶するとともに、前記自装置内で設定されている設定内容を前記表示手段に一覧表示されている形態の画像ファイルとして前記外部記憶媒体に記憶されている画像ファイルと置き換えて更新記憶する設定記憶制御手段とを備えたことを特徴とするテレビジョン受信装置。
【請求項５】
前記検出手段により外部記憶媒体の接続が検出された場合には、前記外部記憶媒体に記憶されている設定内容を読み込むとともに、自装置内に設定されている設定内容と前記読み込んだ設定内容とを並べて前記表示手段に表示する表示制御手段を備えたことを特徴とする請求項２ないし請求項４のいずれかに記載のテレビジョン受信装置。
【請求項６】
前記設定内容が、明度、色合い、シャープネス等の各種調整値や、キャプション言語、ＯＳＤ言語、音声言語、パレンタルレベル等の各種動作モードの内容であることを特徴とする請求項１ないし請求項５のいずれかに記載のテレビジョン受信装置。
【発明の詳細な説明】
【技術分野】
【０００１】
本発明は、ＵＳＢメモリ等の外部記憶媒体の接続が可能な接続端子を有するテレビジョン受信装置に関する。
【背景技術】
【０００２】
最近のテレビジョン受信装置には、外部記憶媒体の接続が可能な接続端子を備えたものがあり、この接続端子に外部記憶媒体を接続することで、その外部記憶媒体に記憶されている情報を利用して、テレビジョン受信装置側で各種の制御を可能とするものが提案されている（例えば、特許文献１参照）。
【０００３】
特許文献１には、テレビ放送受信機の接続部に外部メモリの挿入を検知した際、挿入された外部メモリに記憶されている映像及び音声に関する調整値と視聴可能年齢等の設定情報とを読み出し、その設定情報に応じた映像及び音声の調整値と受信動作とを自動的に制御するように構成されたテレビ放送受信機（以下、テレビジョン受信装置という。）が記載されている。このテレビジョン受信装置によれば、使用者の使い方に応じた設定を自動的に行うことができる。
【特許文献１】特開２００２−１６８５３号公報
【発明の開示】
【発明が解決しようとする課題】
【０００４】
しかし、上記特許文献１に記載のものは、外部メモリが挿入されたテレビジョン受信装置が、外部メモリに記憶されている設定情報に基づいて、映像及び音声の調整値と受信動作とを自動的に制御する構成となっている。そのため、例えばこの外部メモリを、外部記憶媒体の接続が可能な他のテレビジョン受信装置に挿入しても、そのテレビジョン受信装置が同様の自動制御機能を備えていない場合には、映像及び音声の調整値と受信動作とを自動的に制御（設定）することができないといった問題があった。つまり、特許文献１に記載のものは汎用性が無く、そのような自動制御機能を搭載したテレビジョン受信装置にしか適用できないといった問題があった。
【０００５】
従って、他のテレビジョン受信装置で同様の調整や設定を行いたい場合には、ユーザは従来通り手動操作によって各種の設定を行うことになるが、この場合、先のテレビジョン受信装置で設定した内容をメモ等に記録しておき、ユーザは、そのメモを見ながら設定しなければならず、極めて煩雑な作業になるといった問題があった。
【０００６】
この場合、他のテレビジョン受信装置においても外部メモリの情報をメモ代わりとして利用できれば便利である。一般に、外部記憶媒体の接続端子を有するテレビジョン受信装置では、外部記憶媒体に記憶されている情報が例えばＪＰＥＧ等の画像ファイル形式で記憶されている場合には、これを読み出して画像に展開し、表示部に表示することは可能である。従って、このような場合には、外部メモリに記憶されている情報を他のテレビジョン受信装置でも画像に展開して表示することで、メモ代わりとして利用することが可能となり、その意味では汎用性を持たせることができる。
【０００７】
本発明はかかる実情に鑑みて創案されたもので、その目的は、外部メモリにテレビジョン受信装置の設定内容を画像ファイルの形式で記憶させることで、各個人の嗜好に応じた各種設定を、より独立性の高い方法で記憶することができ、かつ、他のテレビジョン受信装置においてその画像ファイルをメモリ代わりとして表示することで、他のテレビジョン受信装置においても共通の設定を容易としたテレビジョン受信装置を提供することにある。
【課題を解決するための手段】
【０００８】
上記課題を解決するため、本発明のテレビジョン受信装置は、外部記憶媒体の接続が可能な接続端子を有するテレビジョン受信装置において、前記接続端子への外部記憶媒体の接続の有無を検出する検出手段と、前記検出手段により外部記憶媒体の接続が検出された場合には、自装置内で設定されている各種調整値や各種動作モード等の設定内容を一覧表示する表示手段と、前記表示手段に表示された設定内容を決定する決定手段と、前記決定手段にて決定された設定内容を前記表示手段に一覧表示されている形態の画像ファイルとして前記外部記憶媒体に記憶する設定記憶制御手段とを備えたことを特徴としている。
【０００９】
すなわち、接続端子（例えば、ＵＳＢ接続端子）に外部記憶媒体であるＵＳＢメモリが接続されると、表示手段は、現時点で自装置内に設定されている各種調整値（例えば、明度、色合い、シャープネス等の各種調整値）や、各種動作モード（例えば、キャプション言語、ＯＳＤ言語、音声言語、パレンタルレベル等）の設定内容を表示部であるモニタに一覧表示する。
【００１０】
これを見たユーザが、決定手段である例えばリモコン等の決定ボタンを操作すると、この操作信号を受けた設定記憶制御手段は、モニタに一覧表示されている設定内容を、その表示形態のまま１画面の画像ファイルに変換して（例えば、ＪＰＥＧ画像に落とし込んで）外部記憶媒体に記憶する。すなわち、外部記憶媒体には、その装置の設定内容が、他のテレビジョン受信装置でも通常の機能で展開可能な画像ファイルとして記憶されることになる。そのため、この外部記憶媒体を他のテレビジョン受信装置の接続端子に接続すると、そのテレビジョン受信装置では、外部記憶媒体に記憶されている画像ファイルを読み込んで画像に展開し、モニタ画面に表示することができる。従って、ユーザは、本テレビジョン受信装置においても元のテレビジョン受信装置と同じ設定を行いたい場合には、その画面表示されている設定内容をメモ代わりとして利用しながら、本テレビジョン受信装置の各種の設定を行うことが可能となる。すなわち、外部記憶媒体へのテレビジョン受信装置の設定内容の記憶を、画像ファイルという共通性の高い手法で行うことにより、各テレビジョン受信装置間で共通の設定を行いたい場合のユーザの操作性を向上することが可能となる。
【００１１】
また、本発明のテレビジョン受信装置は、外部記憶媒体の接続が可能な接続端子を有するテレビジョン受信装置において、前記接続端子への外部記憶媒体の接続の有無を検出する検出手段と、自装置の各種調整値や各種動作モード等の設定内容を個人コードと対応させて複数種類記憶する設定内容記憶手段と、前記検出手段により外部記憶媒体の接続が検出された場合には、前記設定内容記憶手段に記憶されている各種調整値や各種動作モード等の設定内容を個人コード別に若しくはまとめて一覧表示する表示手段と、前記表示手段に表示された設定内容を決定する決定手段と、前記決定手段にて決定された設定内容を前記表示手段に一覧表示されている形態の画像ファイルとして前記外部記憶媒体に記憶する設定記憶制御手段とを備えたことを特徴としていいる。
【００１２】
すなわち、本発明では、テレビジョン受信装置の各種設定が、例えば父用、母用、姉用、弟用というように個人別に設定されている場合には、その設定内容を個人別に若しくはひとまとめにして、その表示形態のまま１画面の画像ファイルに変換して外部記憶媒体に記憶している。これにより、他のテレビジョン受信装置で同じ設定を行う場合でも、個人別の設定内容が表示されるので、各個人の好みに応じて容易に設定することが可能となる。
【００１３】
また、本発明のテレビジョン受信装置は、外部記憶媒体の接続が可能な接続端子を有するテレビジョン受信装置において、前記接続端子への外部記憶媒体の接続の有無を検出する検出手段と、前記検出手段により外部記憶媒体の接続が検出された場合には、前記外部記憶媒体に装置の各種調整値や各種動作モード等の設定内容とその設定内容の画像ファイルとが記憶されているか否かを確認する確認手段と、前記確認手段での確認の結果、設定内容が記憶されている場合には、その設定内容を読み込む読込手段と、前記読込手段で読み込んだ設定内容と自装置内で設定されている設定内容とを比較する比較手段と、前記比較手段での比較の結果、設定内容が異なっている場合には、異なっていることを示すメッセージとともに自装置内で設定されている設定内容を一覧表示する表示手段と、前記表示手段に表示された設定内容を決定する決定手段と、前記決定手段にて決定された自装置内で設定されている設定内容を前記外部記憶媒体に記憶されている設定内容と置き換えて更新記憶するとともに、前記自装置内で設定されている設定内容を前記表示手段に一覧表示されている形態の画像ファイルとして前記外部記憶媒体に記憶されている画像ファイルと置き換えて更新記憶する設定記憶制御手段とを備えたことを特徴としている。
【００１４】
このように、外部記憶媒体に記憶されている設定内容を、この外部記憶媒体がテレビジョン受信装置に接続される度に必要に応じて更新記憶することで、外部記憶媒体には、ユーザの所望する最新の設定内容が記憶されることになる。そのため、この外部記憶媒体を別のテレビジョン受信装置に接続し、表示される設定内容に従って同じように設定を行うと、そのテレビジョン受信装置についても、ユーザの所望する最新の設定が行えることになる。
【００１５】
また、本発明のテレビジョン受信装置によれば、前記検出手段により外部記憶媒体の接続が検出された場合には、前記外部記憶媒体に記憶されている設定内容を読み込むとともに、自装置内に設定されている設定内容と前記読み込んだ設定内容とを並べて前記表示手段に表示する表示制御手段を備えた構成としてもよい。このような表示制御手段を設けることで、ユーザが外部記憶媒体に記憶されている設定内容と同じ内容に本テレビジョン受信装置も設定しようとする際、両方の設定内容が表示されるので、ユーザは、異なる設定となっている項目のみを選択して再設定すればよく、設定処理時間を短縮することができる。
【００１６】
なお、外部記憶媒体としては、上記したＵＳＢメモリ等のステックタイプや、ＳＤカード等のカードタイプの不揮発性半導体メモリの使用が可能である。
【発明の効果】
【００１７】
本発明のテレビジョン受信装置によれば、現在のテレビジョン受信装置の設定内容を、接続端子に接続された外部記憶媒体に画像ファイルの形式で記憶させる構成としたので、他のテレビジョン受信装置において同じ設定をする場合に、この外部記憶媒体を当該テレビジョン受信装置に接続して画像ファイルを読込み、表示部に表示することができる。すなわち、外部記憶媒体に画像ファイル形式で記憶することで、外部記憶媒体の接続端子を有するテレビジョン受信装置であればどのようなテレビジョン受信装置であっても、外部記憶媒体に記憶されている任意のテレビジョン受信装置の設定内容を表示することができる。そのため、ユーザは、表示されている設定内容を見ながら当該テレビジョン受信装置の各種設定を行うことができるので、複数のテレビジョン受信装置で共通の設定を行う場合のユーザの操作性を向上させることができる。
【発明を実施するための最良の形態】
【００１８】
以下、本発明の実施の形態について、図面を参照して説明する。
【００１９】
図１は、本実施形態に係わるテレビジョン受信装置の要部の電気的構成を示す機能ブロック図である。本実施形態のテレビジョン受信装置は、デジタル放送の受信が可能である。ただし、テレビジョン受信装置によるデジタル放送の映像及び音声の信号処理については従来周知の処理であるので、ここではＴＶ信号処理部として簡単な機能ブロックで示している。
【００２０】
本実施形態のテレビジョン受信装置は、ＴＶ制御系２０が筐体内に格納されたもので、ＴＶ制御系２０全体を制御するＴＶマイコン２１を備えている。
【００２１】
すなわち、デジタル放送のテレビジョン信号を受信するチューナ回路２２の出力は、デジタル放送信号の信号処理を行うＴＶ信号処理部２４に接続されており、ＴＶ信号処理部２４の出力は、ＣＲＴまたは液晶パネル等のモニタ部２６に接続されている。また、ＴＶ信号処理部２４の出力は、増幅器２７を介して内部スピーカ２８に接続されている。ＴＶ信号処理部２４は、テレビジョン受信装置の各種設定を行うためのメニュー画面やチャンネル選局時のチャンネル選局画面をモニタ部２６に表示するための各種設定画面を表示するＯＳＤ回路２４ａを備えている。
【００２２】
ＴＶマイコン２１は、チューナ回路２２を介して受信したデジタルのテレビジョン信号を映像信号や音声信号に復号し、映像信号をモニタ部２６に表示するとともに音声信号を内部スピーカ２８から出力するＴＶ信号処理部２４を制御する。
【００２３】
また、ＴＶマイコン２１には、リモコン送信機４１からの各種操作信号を受信する受信部２５の出力が接続されている。ＴＶマイコン２１は、このリモコン送信機４１から送信されてくる各種操作信号に基づいて、ＴＶ制御系２０の動作制御を行うようになっている。
【００２４】
また、ＴＶマイコン２１にはメモリ部２９が接続されている。メモリ部２９には、リモコン送信機４１の操作によるオートプリセット等によって各チャンネルが設定されたチャンネルテーブルの他、リモコン送信機４１の操作によってユーザが設定した各種調整値（具体的には、明度、色合い、シャープネス等の各種調整値）や各種動作モード（具体的には、キャプション言語、ＯＳＤ言語、音声言語、パレンタルレベル等）の設定情報が格納されている。これらの調整値や動作モードは、リモコン送信機４１の操作により、メニュー画面から各項目を選択することによって順次設定できるようになっているが、このような設定操作は従来周知の操作であり、種々の手法が提案されているので、ここでは説明を省略する。
【００２５】
さらに、ＴＶマイコン２１には、外部記憶媒体である例えばＵＳＢメモリ３１を接続するＵＳＢ接続端子２３が設けられている。ＴＶマイコン２１は、ＵＳＢ接続端子２３へのＵＳＢメモリ３１の接続の有無を検出する機能、ＵＳＢメモリ３１の接続を検出した場合に、自装置内で設定されている各種調整値や各種動作モード等の設定情報（メモリ部２９に記憶されている設定情報）の内容をモニタ部２６に一覧表示する機能、リモコン送信機４１の図示しない決定ボタンの操作によりモニタ部２６に表示された設定内容が決定されると、その決定された設定内容を、モニタ部２６に一覧表示されている表示形態のまま１画面の画像ファイルに変換（本実施例では、ＪＰＥＧ形式に変換）する機能、変換した画像ファイルをＵＳＢメモリ３１に記憶する機能を備えている。
【００２６】
この他にも、ＴＶマイコン２１は、接続されたＵＳＢメモリ３１に記憶されている設定内容と、本テレビジョン受信装置の現在の設定内容とが一致しない場合に、ＵＳＢメモリ３１に記憶されている設定内容を最新の設定内容に更新記憶する機能や、本テレビジョン受信装置が他のテレビジョン受信装置として機能するときには、接続されたＵＳＢメモリ３１の設定内容を読み込み、この読み込んだ設定内容と、本テレビジョン受信装置で設定されている設定内容とを並べて表示する機能なども備えている。
【００２７】
以下、これら各機能による処理動作について、具体的に実施例を挙げて説明する。
【実施例１】
【００２８】
本実施例１は、自装置の設定内容をＵＳＢメモリ３１に記憶する場合の基本的な処理動作の実施例である。以下、図２に示すフローチャート及び図３に示す表示画面例を参照して説明する。
【００２９】
テレビジョン受信装置の電源オン状態において、ＴＶマイコン２１は、ＵＳＢ接続端子２３にＵＳＢメモリ３１が接続されているか否かを常に監視している（ステップＳ１）。このとき、テレビジョン受信装置では、ユーザによるリモコン送信機４１の操作により、図示しないメニュー画面から各項目を選択することによって、本テレビジョン受信装置の各種の設定が行われているものとする。設定項目としては、例えば明度、色合い、シャープネス等の各種調整値に関する項目や、キャプション言語、ＯＳＤ言語、音声言語、パレンタルレベル等の各種動作モードに関する項目である。そして、このようにして各項目ごとに設定された内容（情報）は、メモリ部２９に格納されており、ＴＶマイコン２１がこの設定内容に従ってテレビジョン受信装置の受信動作を制御するようになっている。
【００３０】
そして、このような状態において、ＵＳＢ接続端子２３にＵＳＢメモリ３１が接続されると（ステップＳ１でＹｅｓと判断されると）、ＴＶマイコン２１がこれを検知し、接続されているＵＳＢメモリ３１に自装置内の設定内容を記憶させるか否かを選択させる画面をモニタ部２６に表示する（ステップＳ２）。図３（ａ）は、このときのモニタ部２６に表示される選択画面例を示している。すなわち、「自装置の設定内容を外部メモリに保存しますか」といったメッセーの下に、「はい」と「いいえ」のボタンを表示している。
【００３１】
この選択画面に従って、ユーザが、リモコン送信機４１を操作して「はい」ボタンを選択すると（ステップＳ３でＹｅｓと判断されると）、ＴＶマイコン２１は、メモリ部２９に記憶されている現在の設定内容をモニタ部２６に一覧表示する（ステップＳ４）。なお、この選択は、例えば画面上のカーソル（若しくは項目のハイライト表示）をリモコン送信機４１の図示しない上下左右ボタンによって、「はい」のところに移動し、その状態でリモコン送信機４１の図示しない決定ボタンを操作することで選択することができる。図３（ｂ）は、このときのモニタ部２６に表示される設定内容の表示例を示している。上記したように、各種調整値や各種動作モードの設定内容が一目で分かるように一覧表示されている。
【００３２】
ユーザは、この内容を確認した後、リモコン送信機４１を操作して画面上の「保存」ボタンを選択し、図示しない決定ボタンを操作すると（ステップＳ５でＹｅｓと判断されると）、この操作信号を受けたＴＶマイコン２１は、このモニタ部２６に一覧表示されている設定内容を、その表示形態のまま１画面の画像ファイルに変換して（例えば、ＪＰＥＧ画像に落とし込んで）、ＵＳＢメモリ３１に記憶する（ステップＳ６）。これにより、ＵＳＢメモリ３１には、本テレビジョン受信装置での各種項目の設定内容が画像ファイルとして記憶されることになる。
【００３３】
なお、ステップＳ３で「いいえ」ボタンが選択された場合、及びステップＳ５で決定ボタンが操作されなかった場合（キャンセルに該当するボタンが操作された場合）には、処理を終了する。
【００３４】
本実施例１によれば、ＵＳＢメモリ３１には、本テレビジョン受信装置の設定内容が、他のテレビジョン受信装置でも通常の機能で展開可能な画像ファイルとして記憶されることになる。そのため、このＵＳＢメモリ３１を他のテレビジョン受信装置のＵＳＢ接続端子に接続すると、そのテレビジョン受信装置でも、ＵＳＢメモリ３１に記憶されている画像ファイルのデータを読み込んで画像に展開し、モニタ画面に表示することができる。従って、ユーザは、そのテレビジョン受信装置においても先のテレビジョン受信装置と同じ設定を行いたい場合には、その画面表示されている設定内容をメモ代わりとして利用しながら、本テレビジョン受信装置の各種の設定を行うことが可能となる。すなわち、ＵＳＢメモリ３１へのテレビジョン受信装置の設定内容の記憶を、ＪＰＥＧファイル等の共通性の高い手法で行うことにより、各テレビジョン受信装置間で共通の設定を行いたい場合のユーザの操作性を向上することが可能となる。
【実施例２】
【００３５】
本実施例２は、テレビジョン受信装置の設定内容をＵＳＢメモリ３１に記憶する際に、当該テレビジョン受信装置の設定内容が個人コードに対応して複数種類設定可能である場合の処理動作の実施例である。以下、図４に示すフローチャート、図５に示す表示画面例及び図６に示すデータ構成例を参照して説明する。すなわち、メモリ部２９には、図６に示すように、複数の個人コードに対応させて複数の設定内容が格納されている。この例では、父用、母用、姉用、弟用というように、個人別に４種類の設定内容が格納されているものとする。
【００３６】
テレビジョン受信装置の電源オン状態において、ＴＶマイコン２１は、ＵＳＢ接続端子２３にＵＳＢメモリ３１が接続されているか否かを常に監視している（ステップＳ１１）。このとき、テレビジョン受信装置では、ユーザによるリモコン送信機４１の操作により、図示しないメニュー画面から各項目を選択することによって、上記した個人別に各種の設定が行われているものとする。設定項目としては、例えば明度、色合い、シャープネス等の各種調整値に関する項目や、キャプション言語、ＯＳＤ言語、音声言語、パレンタルレベル等の各種動作モードに関する項目である。そして、このようにして各項目ごとに設定された内容（情報）は、上記したようにメモリ部２９に格納されており、視聴者である個人が指定された場合には、ＴＶマイコン２１は、この指定された個人の設定内容に従ってテレビジョン受信装置の受信動作を制御するようになっている。
【００３７】
そして、このような状態において、ＵＳＢ接続端子２３にＵＳＢメモリ３１が接続されると（ステップＳ１１でＹｅｓと判断されると）、ＴＶマイコン２１がこれを検知し、接続されているＵＳＢメモリ３１に自装置内の設定内容を記憶させるか否かを選択させる画面をモニタ部２６に表示する（ステップＳ１２）。図５（ａ）は、このときのモニタ部２６に表示される選択画面例を示している。この画面は、図３（ａ）に示した画面と同じである。
【００３８】
この選択画面に従って、ユーザが、リモコン送信機４１を操作して「はい」ボタンを選択すると（ステップＳ１３でＹｅｓと判断されると）、ＴＶマイコン２１は、メモリ部２９に記憶されている現在の設定内容をモニタ部２６に一覧表示する（ステップＳ１４）。図５（ｂ）は、このときのモニタ部２６に表示される設定内容の表示例を示している。上記したように、各個人の各種調整値や各種動作モードの設定内容が一目で分かるように一覧表示されている。
【００３９】
ユーザは、この内容を確認した後、任意の個人を選択してＵＳＢメモリ３１に記憶するのか、全部を選択してＵＳＢメモリ３１に記憶するのかの選択を行う（ステップＳ１５）。この選択も、例えば画面上のカーソル（若しくは項目のハイライト表示）をリモコン送信機４１の図示しない上下左右ボタンによって、「父用」、「母用」、「姉用」、「弟用」の任意の項目に移動し、その状態でリモコン送信機４１の図示しない決定ボタンを操作することで選択することができる。ここで、任意の個人が選択された場合（ステップＳ１５でＹｅｓと判断された場合）には、ＴＶマイコン２１は、図５（ｃ）に示すように、選択された個人の設定内容をモニタ部２６に一覧表示する（ステップＳ１６）。この画面は、図３（ｂ）に示した画面と同じである。
【００４０】
次に、図５（ｃ）に示す一個人の一覧表示の状態、または、図５（ｂ）に示す全員の一覧表示の状態（ステップＳ１５でＮｏと判断されたときの状態）で、ユーザがリモコン送信機４１を操作して画面上の「保存」ボタンを選択し、図示しない決定ボタンを操作すると（ステップＳ１７でＹｅｓと判断されると）、この操作信号を受けたＴＶマイコン２１は、このモニタ部２６に一覧表示されている設定内容（図５（ｂ）または図５（ｃ）に示す設定内容）を、その表示形態のまま１画面の画像ファイルに変換して（例えば、ＪＰＥＧ画像に落とし込んで）、ＵＳＢメモリ３１に記憶する（ステップＳ１８）。これにより、ＵＳＢメモリ３１には、本テレビジョン受信装置での個人毎または全員の各種項目の設定内容が画像ファイルとして記憶されることになる。
【００４１】
なお、ステップＳ１３で「いいえ」ボタンが選択された場合、及びステップＳ１７で決定ボタンが操作されなかった場合（キャンセルに該当するボタンが操作された場合）には、何もせずに処理を終了する。
【００４２】
本実施例２によれば、テレビジョン受信装置の各種設定が、父用、母用、姉用、弟用というように個人別に設定されている場合には、その設定内容を個人別に若しくはひとまとめにして、その表示形態のまま１画面の画像ファイルに変換してＵＳＢメモリ３１に記憶している。これにより、他のテレビジョン受信装置で同じ設定を行う場合でも、個人別の設定内容が表示されるので、各個人の好みに応じて容易に設定することが可能となる。
【実施例３】
【００４３】
本実施例３は、ＵＳＢメモリ３１に記憶される設定内容を常に最新の内容に更新記憶する実施例である。以下、図７に示すフローチャート、図８に示す表示表示例、及び図９に示すＵＳＢメモリ３１に記憶されている設定内容のデータ構成例を参照して説明する。
【００４４】
本実施例３では、ＵＳＢメモリ３１には、設定内容の画像ファイルとともに、その設定内容の情報自体、及びその設定内容がどのテレビジョン受信装置の設定内容であるのかを示す当該テレビジョン受信装置の固有コードも合わせて記憶する。固有コードは、例えば製造番号やメーカーが固有に付与したコードを利用する。すなわち、図９に示すように、１つの画像ファイルには、テレビジョン受信装置を示す固有コードと、そのテレビジョン受信装置で設定されている設定内容のデータと、その設定内容の一覧表示画像であるＪＰＥＧ等の画像データとが１レコードとして記憶されている。
【００４５】
テレビジョン受信装置の電源オン状態において、ＴＶマイコン２１は、ＵＳＢ接続端子２３にＵＳＢメモリ３１が接続されているか否かを常に監視している（ステップＳ２１）。このとき、テレビジョン受信装置では、ユーザによるリモコン送信機４１の操作により、図示しないメニュー画面から各項目を選択することによって、本テレビジョン受信装置の各種の設定が行われているものとする。設定項目としては、例えば明度、色合い、シャープネス等の各種調整値に関する項目や、キャプション言語、ＯＳＤ言語、音声言語、パレンタルレベル等の各種動作モードに関する項目である。そして、このようにして各項目ごとに設定された内容（データ）は、メモリ部２９に格納されており、ＴＶマイコン２１がこの設定内容に従ってテレビジョン受信装置の受信動作を制御するようになっている。
【００４６】
そして、このような状態において、ＵＳＢ接続端子２３にＵＳＢメモリ３１が接続されると（ステップＳ２１でＹｅｓと判断されると）、ＴＶマイコン２１がこれを検知し、接続されているＵＳＢメモリ３１に画像ファイルが格納されているか否かを確認する（ステップＳ２２）。もし、画像ファイルが格納されていない場合（ステップＳ２２でＮｏと判断された場合）には、何もせずに処理を終了する。
【００４７】
一方、画像ファイルが格納されている場合（ステップＳ２２でＹｅｓと判断された場合）には、ＴＶマイコン２１は、ＵＳＢメモリ３１からその画像ファイルを読み込み、この画像ファイルに格納されている固有コードと、自装置の固有コードとを比較する（ステップＳ２３）。その結果、固有コードが一致しない場合（ステップＳ２３でＮｏと判断された場合）には、何もせずに処理を終了する。
【００４８】
一方、固有コードが一致する場合（ステップＳ２３でＹｅｓと判断された場合）には、ＴＶマイコン２１は、次にＵＳＢメモリ３１に格納されている設定内容と、現時点で自装置内に設定されている設定内容とを比較する（ステップＳ２４）。その結果、設定内容が一致する場合（ステップＳ２４でＹｅｓと判断された場合）には、更新する必要がないので、そのまま処理を終了する。
【００４９】
一方、設定内容が一致しない場合（ステップＳ２４でＮｏと判断された場合）には、設定内容が異なっていることを示すメッセージとともに自装置内で設定されている設定内容をモニタ部２６に一覧表示する（ステップＳ２５）。図８は、このときのモニタ部２６に表示される設定内容の表示例を示している。画面上に例えば「設定内容は異なっています。ＵＳＢメモリの内容を最新の設定内容に更新しますか」といったメッセージを表示し、その下に、現時点で設定中の各種調整値や各種動作モードの設定内容が一目で分かるように一覧表示されている。
【００５０】
ユーザは、この内容を確認した後、リモコン送信機４１を操作して画面上の「保存」ボタンを選択し、リモコン受信機４１の図示しない決定ボタンを操作すると（ステップＳ２６でＹｅｓと判断されると）、この操作信号を受けたＴＶマイコン２１は、このモニタ部２６に一覧表示されている設定内容を、その表示形態のまま１画面の画像ファイルに変換して（例えば、ＪＰＥＧ画像に落とし込んで）、ＵＳＢメモリ３１に既に記憶されている設定内容に上書きする形で記憶する（ステップＳ２７）。これにより、ＵＳＢメモリ３１には、本テレビジョン受信装置での最新の設定内容が画像ファイルとして記憶されることになる。
【００５１】
このように、ＵＳＢメモリ３１に記憶されている設定内容を、このＵＳＢメモリ３１がテレビジョン受信装置に接続される度に必要に応じて更新記憶することで、ＵＳＢメモリ３１には、ユーザの所望する最新の設定内容が記憶されることになる。そのため、このＵＳＢメモリ３１を別のテレビジョン受信装置に接続し、表示される設定内容に従って同じように設定を行うと、そのテレビジョン受信装置についても、ユーザの所望する最新の設定が行えることになる。
【実施例４】
【００５２】
上記各実施例１〜３は、自装置の設定内容を接続されたＵＳＢメモリ３１に記憶させるときの実施例であったが、本実施例４は、その記憶されている設定内容に従って自装置で同じ設定を行うときの実施例である。本発明では、ＵＳＢメモリ３１に記憶されている設定内容に従って同じ設定を行うテレビジョン受信装置には特別な機能は必要ではなく、ＵＳＢ接続端子を有し、画像ファイルを展開してモニタ部に表示できる機能さえあればよいのであるが、本実施例４では、その通常機能に、若干の表示機能を追加した実施である。以下、図１０に示すフローチャート及び図１１に示す表示画面例を参照して説明する。
【００５３】
テレビジョン受信装置の電源オン状態において、ＴＶマイコン２１は、ＵＳＢ接続端子２３にＵＳＢメモリ３１が接続されているか否かを常に監視している（ステップＳ３１）。そして、このような状態において、ＵＳＢ接続端子２３にＵＳＢメモリ３１が接続されると（ステップＳ３１でＹｅｓと判断されると）、ＴＶマイコン２１がこれを検知し、接続されているＵＳＢメモリ３１に画像ファイルが格納されているか否かを確認する（ステップＳ３２）。もし、画像ファイルが格納されていない場合（ステップＳ３２でＮｏと判断された場合）には、何もせずに処理を終了する。
【００５４】
一方、画像ファイルが格納されている場合（ステップＳ３２でＹｅｓと判断された場合）には、その画像ファイルをモニタ部２６に表示するかどうかをユーザに問い合わせる（ステップＳ３３，ステップＳ３４）。すなわち、ＴＶマイコン２１は、モニタ部２６に表示するか否かのメッセージを表示する。図１１（ａ）は、このときの表示画面例を示している。すなわち、「外部メモリに格納されている画像ファイルを表示しますか」といったメッセージを表示する。
【００５５】
そして、このメッセージを見たユーザが、表示することを選択した場合（ステップＳ３４でＹｅｓと判断された場合）、すなわち、リモコン送信機４１を操作して画面上の「はい」ボタンを選択し、リモコン送信機４１の図示しない決定ボタンを操作した場合、ＴＶマイコン２１は、ＵＳＢメモリ３１から画像ファイルを読み込み、この画像ファイルを展開してモニタ部２６の画面に表示する。このとき、ＴＶマイコン２１は、自装置内に設定されている設定内容（すなわち、メモリ部２９に格納されている設定内容）もモニタ部２６の画面に並べて表示する（ステップＳ３５）。図１１（ｂ）は、このときの表示状態の例を示している。この例では、画面左側がＵＳＢメモリ３１から読み込んだ設定内容、画面右側が自装置での設定内容となっている。従って、ユーザは、この両設定内容を見ながら、異なる設定となっている項目のみを再設定すればよく、設定処理時間を短縮することができる。
【図面の簡単な説明】
【００５６】
【図１】本発明のテレビジョン受像機の要部の電気的構成を示す機能ブロック図である。
【図２】自装置の設定内容をＵＳＢメモリに記憶させる場合の実施例１の処理動作を示すフローチャートである。
【図３】（ａ）実施例１に対応した表示画面例を示す説明図である。（ｂ）リモコン送信機のキー配置構造の要部の一例を示す説明図である。
【図４】自装置の設定内容をＵＳＢメモリに記憶させる場合の実施例２の処理動作を示すフローチャートである。
【図５】実施例２に対応した表示画面例を示す説明図である。
【図６】実施例２に対応したＵＳＢメモリに格納されている設定内容のデータ構成例を示す説明図である。
【図７】ＵＳＢメモリに記憶する設定内容を常に最新の内容に更新記憶する実施例３の処理動作を示すフローチャートである。
【図８】実施例３に対応した表示画面例を示す説明図である。
【図９】実施例３に対応したＵＳＢメモリに格納されている設定内容のデータ構成例を示す説明図である。
【図１０】ＵＳＢメモリに記憶されている設定内容に従って自装置で同じ設定を行うときの実施例４の処理動作を示すフローチャートである。
【図１１】実施例４に対応した表示画面例を示す説明図である。
【符号の説明】
【００５７】
２０  ＴＶ制御系
２１  ＴＶマイコン
２２  チューナ回路
２３  ＵＳＢ接続端子
２４  ＴＶ信号処理部
２４ａ  ＯＳＤ回路
２５  受信部
２６  モニタ部
２７  増幅器
２８  スピーカ
２９  メモリ部
３１  ＵＳＢメモリ
４１  リモコン送信機
【図１】
2008227678.tif 000003
【図２】
2008227678.tif 000004
【図３】
2008227678.tif 000005
【図４】
2008227678.tif 000006
【図５】
2008227678.tif 000007
【図６】
2008227678.tif 000008
【図７】
2008227678.tif 000009
【図８】
2008227678.tif 000010
【図９】
2008227678.tif 000011
【図１０】
2008227678.tif 000012
【図１１】
2008227678.tif 000013